Podtech/llm-jp-corpus-v4-ja_patent huggingface dataset:
(57)【要約】      （修正有）【課題】カバーに防錆効果を持たせ長期の保管でも内蔵バイクの腐食、劣化を抑えられる新規のバイクカバーを提供する。【解決手段】防錆気化シートでバイクのカバーを作る際、防錆シート１に練り込んだ化学薬品が、収納したバイクに移色等の化学的な損傷を与えることを回避する目的で、防錆シート１の内側接触面に不織布を張りバイクとの直接接触を遮断することを特徴とする。【選択図】図２
0003190741.tif 000002
【実用新案登録請求の範囲】
【請求項１】
錆の発生を抑える防錆気化シートで仕立てたことを特徴とする新規の防錆シートのバイクカバー。
【請求項２】
上記請求項１のバイクカバーはシートの裁断ロスと結合作業を簡素化する為２枚の裁断地から作られたことを特徴とする防錆シートのバイクカバー。
【請求項３】
請求項１の防錆気化シートの化学効果がバイクに影響する場合カバーの内側に不織布を貼ってバイクとの直接接触を遮断することを特徴とする防錆シートのバイクカバ。
【考案の詳細な説明】
【技術分野】
【０００１】不使用時のバイクに保護目的で被せるカバーに関して防錆効果を持った気化性防錆シート素材を用いて従来のカバーに防錆効果を持たせ長期の保管でも内蔵バイクの腐食、劣化を抑えられる新規のバイクカバーを提供する。
【背景技術】
【０００２】一般にケース、カバー類は中に収納する器材の中身価格に連動する。所謂ママチャリは海外からの輸入品が多く、１万円代の廉価品も多く見られる。この市場環境でのカバーは価格訴求が第一目的となり商品として安価な簡素品が多い。一方ブランド品の大型自動二輪車は選択肢が無く、市場に有る貧弱な海外品のカバーを使用している。
【考案の概要】
【考案が解決しようとする課題】
【０００３】不使用時のバイクを長期間保管する場合例えば積雪地等は３か月以上に亘って雨、ほこり、特に錆からバイクを保護しなければならない。
【課題を解決するための手段】
【０００４】本考案で使用する防錆シートは自動車等の金属部品の保管用包装シートとして既に国内で２０年以上前から販売されている。このシートに包まれた中の金属はシートから放出される防錆気化ガスの効果で３年以上に亘って錆の進行が抑えられる。
この特性を持ったシートでバイクカバーを仕立て、従来のバイクカバーが有するほこり、雨の遮断に加えてバイクが錆で腐食進行する事を抑制する。
【考案の効果】
【０００５】在庫品や比較的長い不使用時の有る道具、什器、冶具等をこの防錆シートで包むケース、パッケージ、カバンを開発すれば中に入れた金属類の耐久性は大幅に向上される。
従来の様に部品を個々に包む煩わしさが回避できる。
【図面の簡単な説明】
【０００６】
【図１】防錆シートのバイクカバー正面図である。
【図２】防錆シートのバイクカバー側面図である。
【図３】防錆シートのバイクカバー上面図である。
【図４】対象で２枚使用する裁断地の片側パターン図である。
【図５】防錆シートのバイクカバー使用時の参考側面図である。
【考案を実施するための形態】
【０００７】本考案に就いては商品に低コスト気密性、防水性が不可欠の条件となる。
この条件を満たすため以下の方法を採った。
１、防錆シートは高価である為、カットロスを考慮し裁断枚数を２枚に減らした。
２、接合線距離を最小限に減らし簡素化して加工費を抑えた。
【実施例】
【０００８】シートの生地幅を生かし［図４］の形をした裁断地を左右対称にカットして結合したもので、結合部分は本体天井部長手方向とこれと直角に交わるハンドルの突起空間を収納する直角結合線及び裾円周の３か所だけに納めた。結合方法はロットの数量に依って縫製、高周波、超音波等適宜選択し何れの方法でも良いが生産数と納期を考慮して生産原価の有利な方を選択する。
防錆気化シートに練り込まれている化学成分が内容物と相性が悪く移行変色反応を起こす場合が稀に観られる。
この場合は防錆シートの片面に不織布を貼りバイクとの直接接触を遮断する。
目付の悪い不織布は良好な通気性が有り防錆効果への阻害は無い。
【産業上の利用可能性】
【０００９】本考案の手法を用いればスタッドレスタイヤの交換時期にノーマルタイヤの収納ケース、プロパンガスのカバー、航空機の分解整備中再組立てまでの分解部品の保管ケース等数多く用途が創出される。
【符号の説明】１、防錆シート。
２、結合線。
３、絞りコード。
４、コードロック。
【図１】
0003190741.tif 000003
【図２】
0003190741.tif 000004
【図３】
0003190741.tif 000005
【図４】
0003190741.tif 000006
【図５】
0003190741.tif 000007
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
防錆気化シートでバイクのカバーを作る際防錆シートに練り込んだ化学薬品が収納したバイクに移色等の化学的な損傷を与えることを回避する目的で防錆シートの内側接触面に不織布を張りバイクとの直接接触を遮断することを特徴とする防錆シートのバイクカバー。
(57)【要約】      （修正有）【課題】トイレットペーパーの下縁を蓋の下端から容易につまみ出すことができるロール式トイレットペーパーを提供する。【解決手段】全長にわたって適当な間隔をおいて、一方の側縁から他方の側縁へと側縁に対して直交する一直線のミシン目５が設けられたロール式トイレットペーパーにおいて、各ミシン目に斜めに交差するような切り込み６がそれぞれ設けられ、切り込みはトイレットペーパーの引き出し方向側でトイレットペーパーの側縁に達することを特徴とする。【選択図】図２
0003190744.tif 000002
【実用新案登録請求の範囲】
【請求項１】
壁などに固定されたロール式トイレットペーパーホルダーにセットしたロール式トイレットペーパーの左縁に対して９０度に交差するミシン目を同ペーパーの右縁まで一直線に刻み付けてゆき、同ペーパーの右縁から左側へ数センチ戻った点（図２の点Ａ）を通過して斜め上方にのびる点Ｂ（図２の点Ｂ）を結ぶ切れ目を、同ペーパーの右縁の点Ｃ（図２の点Ｃ）まで入れてゆく。このようなミシン目と切り込みを有する部分をロール式トイレットペーパーの全長にわたって、適当な間隔を置いて刻み付けてゆくことを特徴とする改良型ロール式トイレットペーパー。
【考案の詳細な説明】
【考案の詳細な説明】
【技術分野】
【０００１】  本考案は、ロール式トイレットペーパーのミシン目と交差する切り込みを付けることに関するものである。
【背景技術】
【０００２】  従来、ロール式トイレットペーパーを千切るために、このロール式トイレットペーパーの両縁と直角に交わるミシン目がつけられているロール式トイレットペーパーがあった。
【考案が解決しようとする課題】
【０００３】  しかし従来のロール式トイレットペーパーには、次のような問題点があった。
（イ）従来のロール式トイレットペーパーに付けられているミシン目はロール式トイレットペーパーの両縁と直角に交差している。このため、ロール式トイレットペーパーを手で千切った場合、ホルダー内に残っているトイレットペーパーの下縁はロール式トイレットペーパーを保持しているロール式トイレットペーパーホルダーの蓋の下端に隠れてしまう。
（ロ）このため、ロール式トイレットペーパーを使用する人にとって、ロール式トイレットペーパーホルダーの蓋の下端に隠れている同トイレットペーパーが見つけにくく、引っ張り出せない欠点があった。
本発明は、これらの問題点を解決するためになされたものである。
【考案が解決しようとする課題】
【０００４】（イ）トイレットペーパーのミシン目の右縁近くに斜めの切り込み（図２）を付ける。以上を特徴とする、ミシン目の一部に斜めの切り込み（図２）が付けられた改良型ロール式トイレットペーパーである。
【考案を実施するための形態】
【０００５】本考案は以上の構成で、以下に実施の形態について説明する。
（イ）ロール式トイレットペーパーをロール式トイレットペーパーホルダーから手で引っ張り出して使用しようとする時に、トイレットペーパーの下縁がどこにあるか解らないことが頻繁に発生している。この為にロール式トイレットペーパーを使用する人は同ペーパーを引き出すことに時間がかかり、ストレスを受けることがある。
（ロ）本発明はロール式トイレットペーパーのミシン目を縦断して斜めに走る切り込み（図２）があるので、ロール式トイレットペーパーを手で千切る時にロール式トイレットペーパーが、ミシン目を斜めに縦断する切り込み（図２）から右の三角形部分が残り、常にロール式トイレットペーパーホルダーの蓋から下側にはみ出ているので、容易にロール式トイレットペーパーを引き出せるから使用者に大きな利便性を提供できる。
（ハ）このためにロール式トイレットペーパーの下縁がどこにあるかわからないという悩ましい問題が簡単に解決される。
【考案の効果】
【０００６】以下、本発明の実施の形態について説明する。
（イ）ロール式トイレットペーパーの左縁から右縁まで一直線に刻まれているミシン目の一部にミシン目と交差する斜めに走る切り込みを入れる（図２）。
（ロ）このロール式トイレットペーパーをトイレットの壁面に取り付けたロール式トイレットペーパーホルダーにセットする。
（ハ）このような構造で、本考案のロール式トイレットペーパーを使用する際は、ロール式トイレットペーパーの下縁をホルダーから引き出し、ミシン目がホルダーの蓋の下端付近まで引き出されたとき、ホルダーの蓋を片方の手で押さえて、もう一方の手で本考案のロール式トイレットペーパーを下側に引っ張ってミシン目に沿って引き裂いてゆく。
（ニ）この手順によって本考案のロール式トイレットペーパーの一部が引き裂かれるが、引き裂かれてゆく部分がミシン目を斜めにカットしている切り込みに達した時に、トイレットペーパーは切り込みに沿って完全にかつ自動的に切り離されてしまう。そして斜めにカットされた切り込みの部分が確実に蓋の下の右側に露出されて、三角形状態でホルダーに残っているのである（図４）。
（ホ）このために、次にロール式トイレットペーパーを使う時に、切り取られた切り込みの部分が蓋の下端の右側に露出しているので、この露出しているトイレットペーパーを指でつまんで本考案のロール式トイレットペーパーをホルダーから容易に引き出すことができる（図４）。
【図面の簡単な説明】
【０００７】
【図１】ロール式トイレットペーパーホルダーにセットされている従来のトイレットペーパーの斜視図。
【図２】ロール式トイレットペーパーホルダーにセットされている本考案のロール式トイレットペーパーの斜視図。
【図３】ロール式トイレットペーパーホルダーにセットされた従来のロール式トイレットペーパーの展開図。
【図４】一部が切り取られた本考案のロール式トイレットペーパーの展開図。
【符号の説明】１  ロール式トイレットペーパーホルダーの蓋
２  ロール式トイレットペーパーホルダー
３  従来のミシン目
４  ロール式トイレットペーパー
５  本考案のミシン目
６  本考案の切り込み
７  点Ａ
８  点Ｂ
９  点Ｃ
１０  切り取られたトイレットペーパー
１１  ロール式トイレットペーパーの左縁
１２  ロール式トイレットペーパーの右縁
【図１】
0003190744.tif 000003
【図２】
0003190744.tif 000004
【図３】
0003190744.tif 000005
【図４】
0003190744.tif 000006
【手続補正書】
【提出日】平成26年1月28日(2014.1.28)
【手続補正１】
【補正対象書類名】実用新案登録請求の範囲
【補正対象項目名】全文
【補正方法】変更
【補正の内容】
【実用新案登録請求の範囲】
【請求項１】
全長にわたって適当な間隔をおいて、一方の側縁から他方の側縁へと側縁に対して直交する一直線のミシン目が設けられたロール式トイレットペーパーにおいて、各ミシン目に斜めに交差するような切り込みがそれぞれ設けられ、前記切り込みはトイレットペーパーの引き出し方向側でトイレットペーパーの側縁に達することを特徴としたロール式トイレットペーパー。
(57)【要約】      （修正有）【課題】利便性とマナー意識を自覚し、街の美化推進をも追及したストッパー付き紙巻タバコを提供する。【解決手段】フィルター紙巻タバコにおいて、吸い口に突起した凸状のデザイン部１を設け、標語部ＮＯ！ポイ捨て５を印字したことを特徴とする。また、両切り紙巻タバコにおいて、吸い口巻付紙を付設し、吸い口に突起した凸状のデザイン部を設け、標語部ＮＯ！ポイ捨てを印字する。さらに、両切り紙巻タバコにおいて、吸い口に突起した凸状のデザイン部を設け、標語部ＮＯ！ポイ捨てを印字する。【選択図】図１
0003190749.tif 000002
【実用新案登録請求の範囲】
【請求項１】
図１のフィルター紙巻タバコにおいて、吸い口に突起した凸状のデザイン部１を設け、標語部ＮＯ！ポイ捨て５を印字した、ストッパー付き紙巻タバコ。
【請求項２】
図２の両切り紙巻タバコにおいて、吸い口巻付紙を付設し、吸い口に突起した凸状のデザイン部１を設け、標語部ＮＯ！ポイ捨て５を印字した、ストッパー付き紙巻タバコ。
【請求項３】
図３の両切り紙巻タバコにおいて、吸い口に突起した凸状のデザイン部１を設け、標語部ＮＯ！ポイ捨て５を印字した、ストッパー付き紙巻タバコ。
【考案の詳細な説明】
【技術分野】
【０００１】本考案は、ストッパー付き紙巻タバコに関する。
【背景技術】
【０００２】従来紙巻タバコは多様化してあるが、両切り・フィルター付きのものが市販されていた。
【考案の概要】
【考案が解決しようとする課題】
【０００３】しかしながら、従来の紙巻タバコは、タバコ本体にうすい紙を巻付けたものか、また、その本体にフィルターをとりつけた外面に、なめらかな紙を巻付けただけのものであった。
【課題を解決するための手段】
【０００４】本考案は、従来の紙巻タバコにおいて、両切り・フィルター付き、サイズともに多様であるが、両切りについては巻付紙４の吸い口に１枚の巻付紙を併設させた。また、巻付紙そのものの吸い口ともに凸状のデザイン部１を設け、フィルター付きには、フィルター外面の巻付紙に凸状のデザイン部１を設けた。また、そのデザインは自由とする。
そして、図１・図２・図３吸い口部一辺に標語部ＮＯ！ポイ捨て５を印字配設した。
【考案の効果】
【０００５】本考案に係るストッパー付き紙巻タバコは、両切り・フィルター付きにおいて、凸状のデザイン部１を設けたことにより、段差つくり手ざわり感を覚え、喫煙時、手からのスリップ防止も可能となり不快感も解消できた。また、吸い口巻付紙３により、吸い口の強度を増すことができた。
そして、標語部ＮＯ！ポイ捨て５においてはマナー意識を自覚し、ポイ捨て防止と街の美化推進も期待できる。
【図面の簡単な説明】
【０００６】
【図１】本考案に係るストッパー付き・標語フィルター紙巻タバコの斜視図である。
【図２】本考案に係るストッパー付き・吸い口巻付紙両切り紙巻タバコの斜視図である。
【図３】本考案に係るストッパー付き両切り紙巻タバコの斜視図である。
【考案を実施するための形態】
【０００７】図１に示すように、従来のフィルター紙巻タバコにおいて、フィルター外面の巻付紙吸い口に凸状のデザイン部１を設け、その一辺に標語部ＮＯ！ポイ捨て５を配設した。図２の吸い口巻付紙両切り紙巻タバコは、吸い口巻付紙３を付設し、吸い口に凸状のデザイン部１を設け、その一辺に標語部ＮＯ！ポイ捨て５を配設した。図３の両切り紙巻タバコについては、巻付紙４吸い口に凸状のデザイン部１を設け、その一辺に標語部ＮＯ！ポイ捨て５を配設した。
本考案は、以上のような構成であるが、その形状・寸法等を考慮し、デザインは自由とし、位置の調整をするものとする。
【符号の説明】１  凸状デザイン部
２  フィルター外面巻付紙
３  吸い口巻付紙
４  タバコ巻付紙
５  標語部ＮＯ！ポイ捨て
【図１】
0003190749.tif 000003
【図２】
0003190749.tif 000004
【図３】
0003190749.tif 000005
【手続補正書】
【提出日】平成26年2月26日(2014.2.26)
【手続補正１】
【補正対象書類名】実用新案登録請求の範囲
【補正対象項目名】全文
【補正方法】変更
【補正の内容】
【実用新案登録請求の範囲】
【請求項１】
フィルター紙巻タバコにおいて、吸い口に突起した凸状のデザイン部（１）を設け、標語部ＮＯ！ポイ捨て（５）を印字した、ストッパー付き紙巻タバコ。
【請求項２】
両切り紙巻タバコにおいて、吸い口巻付紙を付設し、吸い口に突起した凸状のデザイン部（１）を設け、標語部ＮＯ！ポイ捨て（５）を印字した、ストッパー付き紙巻タバコ。
【請求項３】
両切り紙巻タバコにおいて、吸い口に突起した凸状のデザイン部（１）を設け、標語部ＮＯ！ポイ捨て（５）を印字した、ストッパー付き紙巻タバコ。
(57)【要約】【課題】製造容易で、安価に製造できる実験動物用ケージの網蓋を提供する。【解決手段】網蓋１は、ガラス繊維強化樹脂で一体成形され、ケージ本体２１の上縁部に載る平板状で概略矩形の枠部２と、この枠部２の外縁からケージ本体２１の上部外周に沿うように垂下する周縁片３と、枠部２の内側をつなぐ網部４とを具備する。網部４は、枠部２の一方の対向辺２ａ間を接続するように互いに略平行に相互間隔を置いて配置された多数本の縦桟５と、枠部２の他方の対向辺２ｂ間を接続するように互いに略平行に相互間隔を置いて配置された複数本の横桟６とで格子状に一体に形成される。横桟６の相互間隔は、縦桟５の相互間隔より広く形成される。【選択図】図１
0003190771.tif 000002
【実用新案登録請求の範囲】
【請求項１】
上面が開口した箱状のケージ本体の上面開口部を覆う網状の蓋であって、ガラス繊維強化樹脂で一体成形され、
ケージ本体の上縁部に載る平板状で概略矩形の枠部と、この枠部の外縁からケージ本体の上部外周に沿うように垂下する周縁片と、前記枠部の内側をつなぐ網部とを具備し、
前記網部は、前記枠部の一方の対向辺間を接続するように互いに略平行に相互間隔を置いて配置された多数本の縦桟と前記枠部の他方の対向辺間を接続するように互いに略平行に相互間隔を置いて配置された複数本の横桟とで格子状に一体に形成され、
前記縦桟の相互間隔より前記横桟の相互間隔が広く形成されることを特徴とする実験動物飼育ケージ用網蓋。
【請求項２】
前記網部は、ケージ本体内へ突出する給餌用の凹陥部を具備し、
前記凹陥部は、両側縁付近の縦桟に形成された概略Ｖ字状の屈曲部と、両側縁付近の縦桟から屈曲部と相似の概略三角形状に一体に延出する側壁板部とで構成されることを特徴とする請求項１に記載の実験動物飼育ケージ用網蓋。
【請求項３】
ガラス繊維強化樹脂は着色樹脂であることを特徴とする請求項１又は２に記載の実験動物飼育ケージ用網蓋。
【請求項４】
前記縦桟及び横桟は、表面が滑沢で直径５ｍｍ以上の断面ほぼ円形に構成されることを特徴とする請求項１ないし３のいずれかに記載の実験動物飼育ケージ用網蓋。
【考案の詳細な説明】
【技術分野】
【０００１】
本考案は、マウス、ラット等の小型の実験動物を飼育するためのケージの上方に開放した平面視略矩形の開口部を覆う網状の蓋に関する。
【背景技術】
【０００２】
従来、マウス、ラット等の小型の実験動物を飼育するためのケージは、上方に開放した平面視略矩形の熱可塑性プラスチック容器からなる。上面開放部には、金網が張られた網蓋が被せられる。網蓋は、金属板材からなる矩形周枠の内側に、多数の縦横の金属線材を格子状に溶着してなる金網が張られる。蓋の矩形周枠は、ケージの開口周縁上に載る鍔部を外周側に有し、内周側には開口周縁の内側に嵌まり込む嵌入部を有する。嵌入部の内側に金網受け部が形成される。金網受け部に金網を形成する多数の金属線材の両端部が溶着される。金網を形成する多数の金属線材は交差部において互いに溶着される。
【先行技術文献】
【特許文献】
【０００３】
【特許文献１】特開２０１２−２９６１９号公報
【考案の概要】
【考案が解決しようとする課題】
【０００４】
上記従来の網蓋は、金属板材からなる矩形周枠に多数の金属線材を溶着して構成されるため、製造に多くの手数を要しコスト高となるという問題点がある。したがって、本考案は、製造容易で、安価に製造できる実験動物用ケージの網蓋を提供することを目的としている。
【課題を解決するための手段】
【０００５】
以下、添付図面の符号を参照して説明するが、本考案はこれに限定されるものではない。
上記課題を解決するための、本考案の網蓋１は、ガラス繊維強化樹脂で一体成形され、ケージ本体２１の上縁部に載る平板状で概略矩形の枠部２と、この枠部２の外縁からケージ本体２１の上部外周に沿うように垂下する周縁片３と、枠部２の内側をつなぐ網部４とを具備する。網部４は、枠部２の一方の対向辺２ａ間を接続するように互いに略平行に相互間隔を置いて配置された多数本の縦桟５と、枠部２の他方の対向辺２ｂ間を接続するように互いに略平行に相互間隔を置いて配置された複数本の横桟６とで格子状に一体に形成される。横桟６の相互間隔は、縦桟５の相互間隔より広く形成される。
【考案の効果】
【０００６】
本考案の網蓋は、金属製の網蓋に対して以下のような優位性がある。ガラス繊維強化樹脂で一体成形されるから、ステンレス等の金属素材より軽く、加工が容易で、溶接剥がれや安全対策が必要なバリが生じない。多色の成型加工が可能であり、実験目的や、研究室単位での識別が容易になる。金属製品では滅菌処理に当たって、腐食を考慮しなければならないが、本考案の網蓋では腐食の心配がない。金属より熱開放が早いため、高温での滅菌処理後、すぐに滅菌室から取り出すことができる。金属素材と比較して軽量であるため、ダンボール容器などに大量収納が可能である。
【図面の簡単な説明】
【０００７】
【図１】本考案に係る網蓋の斜視図である。
【図２】図１の網蓋の平面図である。
【図３】図１の網蓋の正面図である。
【図４】図１の網蓋の側面図である。
【考案を実施するための形態】
【０００８】
図面を参照して本考案の実施の形態を説明する。
マウス等の小型の実験動物を飼育するためのケージ本体２１は、上方に開放した平面視略矩形で箱状の熱可塑性プラスチック容器からなる。網蓋１は、ガラス繊維強化樹脂で一体成形され、ケージ本体２１の上面開口部を覆う。
【０００９】
網蓋１は、ケージ本体２１の上縁部に載る、平板状で概略矩形の枠部２と、この枠部２の外縁からケージ本体２１の上部外周に沿うように垂下する周縁片３と、枠部２の内側をつなぐ網部４とを具備する。
【００１０】
網部４は、枠部２の一方の対向辺２ａ間を接続するように互いに略平行に相互間隔を置いて配置された多数本の縦桟５と、枠部２の他方の対向辺２ｂ間を接続するように互いに略平行に相互間隔を置いて配置された複数本の横桟６とで格子状に一体に形成される。横桟６の相互間隔は、縦桟５の相互間隔より広く形成される。縦桟５及び横桟６を表面が滑沢で直径５ｍｍ以上の断面ほぼ円形に構成すれば、収容することが想定されるマウス、ラット等の小型動物がぶら下がったり、かじったりすることが困難である。
【００１１】
網部４は、ケージ本体２１内へ突出する給餌用の凹陥部４ａを具備する。凹陥部４ａは、複数の縦桟５に形成された概略Ｖ字状の屈曲部５ａと、両側縁付近の縦桟から屈曲部５ａと相似の概略三角形状に一体に延出する側壁板部５ｂとで構成される。
【００１２】
ガラス繊維強化樹脂は、ステンレス等の金属素材より軽いので、一時に大量に運搬、滅菌等の処理が可能である。また、加工が容易で、溶接剥がれや安全対策が必要なバリなどが生じない。金属より熱開放が早いため、高温高圧の蒸気滅菌後、すぐに滅菌室から取り出すことができる。
【符号の説明】
【００１３】
１      網蓋
２      高圧蒸気
３      周縁片
４      網部
４ａ    凹陥部
５      縦桟
５ａ    屈曲部
５ｂ    側壁板部
６      横桟
２１    ケージ本体
【図１】
0003190771.tif 000003
【図２】
0003190771.tif 000004
【図３】
0003190771.tif 000005
【図４】
0003190771.tif 000006
(57)【要約】      （修正有）【課題】折畳み式塔状の傘フレームを提供する。【解決手段】傘を支える中棒１、中棒の頂端に位置される固定用上はじき２、中棒で上下に滑動する可動式下ろくろ３、及び固定用上はじきを備え、可動式下ろくろは折り畳み式のダボ４及び傘布８を連動させて上に向け突出させて塔状を形成させる石突５に連結され、石突の下方には可動式上ろくろ６が固設される。可動式上ろくろは固定用上はじき内に挿通され、石突と固定用上はじきとの間にはバネ７が設けられる。革新的で、構造も合理的であり、ダボが傘布を展開させると可動式上ろくろにより強力に支えられて石突が突出し、傘布の中心の頂端に塔状を形成させる。ダボが傘布を回収するとバネの復帰引張力により自動的に石突を引っ張り、折り畳み傘が折り畳まれた後短く持ち易くなる。自動で石突を突出させたり回収させたりするため、ユーザーの操作にも支障がでない。【選択図】図１
0003190780.tif 000002
【実用新案登録請求の範囲】
【請求項１】
傘を支える中棒、前記中棒の頂端に位置される固定用上はじき、前記中棒で上下に滑動する可動式下ろくろ、及び前記固定用上はじきを備え、前記可動式下ろくろは折り畳み式のダボ及び傘布を連動させて上に向け突出させ塔状を形成させる石突に連結される折畳み式塔状の傘フレームであって、
前記石突の下方には前記可動式上ろくろが固設され、前記可動式上ろくろは前記固定用上はじき内に挿通され、前記石突と前記固定用上はじきとの間にはバネが設けられることを特徴とする折畳み式塔状の傘フレーム。
【考案の詳細な説明】
【技術分野】
【０００１】
本考案は、折畳み式塔状の傘フレームに関する。
【背景技術】
【０００２】
折り畳み傘は汎く普及する雨具であり、日差し遮り雨をしのぐ基本機能を具備するほか、折り畳まれた後に携帯し易いよう短小になる長所を更に有する。従来の折り畳み傘では、展開後に傘布は平滑な弧面を呈し、従来の折畳み式塔状の傘フレームは、展開後に傘布の平滑な弧面の中心の頂端は弧度を一気に拡大して上に向け塔状に突出し、傘を開いた後は開く前とは異なる美観効果を有する。従来の折畳み式塔状の傘フレームの傘布は傘フレームから展開し、或いは傘フレームに収納され、塔状の突起は傘フレームの頂部の石突が中棒に内設されるバネの弾力により傘を展開させた後に上に向け突出し、傘布は連動されて一気に外に突出される塔状突起の視覚効果を有する。
【考案の概要】
【考案が解決しようとする課題】
【０００３】
しかしながら、前述した従来の折畳み式塔状の傘フレームは、折り畳まれた後、手動で石突に力をかけ、バネの弾力以上の力で石突を戻し係止させることで折り畳み傘は短くなり携帯し易い長所を発揮させるが、但しユーザーにとってこの操作は不便であった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。本考案の主な目的は、上述の問題を解決するために、折畳み式塔状の傘フレームを提供することにある。
【課題を解決するための手段】
【０００６】
上述した課題を解決し、目的を達成するために、本考案に係る折畳み式塔状の傘フレームは、傘を支える中棒、前記中棒の頂端に位置される固定用上はじき、前記中棒で上下に滑動する可動式下ろくろ、及び前記固定用上はじきを備え、前記可動式下ろくろは折り畳み式のダボ及び傘布を連動させて上に向け突出させ塔状を形成させる石突に連結される折畳み式塔状の傘フレームであって、前記石突の下方には前記可動式上ろくろが固設され、前記可動式上ろくろは前記固定用上はじき内に挿通され、前記石突と前記固定用上はじきとの間にはバネが設けられることを特徴とする。
【考案の効果】
【０００７】
可動式下ろくろが中棒で上に向け滑動しダボが傘布を展開させると、可動式下ろくろは可動式上ろくろを押して上に向け動作させ、可動式上ろくろは石突を連動させてバネの引張力以上の力で突出させ、塔状突起を有する傘布を形成させる。可動式下ろくろが中棒で下に向け滑動しダボが傘布を回収させると、石突はバネの引張力の作用により自動的に回収される。なお、本考案の実施形態に係る折畳み式塔状の傘フレームの設計は革新的で、構造も合理であり、ダボが傘布を展開させると可動式上ろくろにより強力に支えられて石突が突出し、傘布の中心の頂端には塔状が形成される。ダボが傘布を回収しバネの復帰引張力により自動的に石突を引き戻し、折り畳み傘が折り畳まれた後には短小で携帯し易くなり、石突が自動的に突出及び回収されるため、ユーザーの操作も容易になる。
【図面の簡単な説明】
【０００８】
【図１】本考案に係る折畳み式塔状の傘フレームを説明する構造の概略図である。
【図２】本考案に係る折畳み式塔状の傘フレームを説明する頂部の拡大図である。
【考案を実施するための形態】
【０００９】
以下に図面を参照して、本考案を実施するための形態について、詳細に説明する。なお、本考案は、以下に説明する実施形態に限定されるものではない。
＜第１実施形態＞
【００１０】
以下、第１実施形態を図１に基づいて説明する。本考案の実施形態に係る折畳み式塔状の傘フレームは、傘を支える中棒１、中棒１の頂端に位置される固定用上はじき２、中棒１で上下に滑動する可動式下ろくろ３、及び固定用上はじき２を備え、可動式下ろくろ３は折り畳み式のダボ４及び傘布８を連動させ上に向け突出させ塔状を形成させる石突５に連結され、石突５の下方には可動式上ろくろ６が固設される。可動式上ろくろ６は固定用上はじき２内に挿通される。石突５と固定用上はじき２との間にはバネ７が設けられる。
【００１１】
以上、本考案はこのような実施形態に限定されるものではなく、考案の趣旨を逸脱しない範囲において、種々の形態で実施することができる。
【符号の説明】
【００１２】
１ 中棒
２ 固定用上はじき
３ 可動式下ろくろ
４ ダボ
５ 石突
６ 可動式上ろくろ
７ バネ
８ 傘布
【図１】
0003190780.tif 000003
【図２】
0003190780.tif 000004
(57)【要約】      （修正有）【課題】月末になっても、その月のカレンダーを破り捨てずに、裏側にめくり、長期保存できるようにした月めぐりカレンダーを提供する。【解決手段】カレンダー１の留め金２の中央下部に、吊り手を上方に延ばしたときに通るめくり孔４をカレンダーの裏側まで貫通し、且、めくり孔の周りは、破れ難い紙またはビニール等を貼着して縁とり５し、また、留め金の中央下部に凹み６をカレンダーの裏側まで貫通し、年初に吊り手を上方に延ばし、ひもを通して柱等に吊り、月末に、その月のカレンダーをひもと吊り手にくぐらせて、裏側にめくるようにしたことを特徴とする。【選択図】図１
0003190751.tif 000002
【実用新案登録請求の範囲】
【請求項１】
カレンダーの留め金の中央下部に、吊り手を上方に延ばしたときに通るめくり孔をカレンダーの裏側まで貫通し、且、めくり孔の周りは、破れ難い紙またはビニール等を貼着して縁とりし、また、留め金の中央下部に凹みをカレンダーの裏側まで貫通し、年初に吊り手を上方に延ばし、ひもを通して柱等に吊り、月末に、その日のカレンダーをひもと吊り手にくぐらせて、裏側にめくるようにしたことを特徴とする月めぐりカレンダー。
【考案の詳細な説明】
【技術分野】
【０００１】  本考案は、月末に、その月のカレンダーを破り捨てずに、裏側にめくれるようにした月めぐりカレンダーに関するものである。
【背景技術】
【０００２】  従来、カレンダーは、月末に破り捨てるため、後で、カレンダーに書いたメモやカレンダーに印刷された行事・農事歴・季節の健康等の記事・絵画・写真等（以下カレンダーの印刷物に略）を見ることができないため、困ったと後悔しているのが実情である。
【考案の概要】
【考案が解決しようとする課題】
【０００３】  本考案は、月末になっても、その月のカレンダーを破り捨てずに、裏側にめくり、長期保存できるようにしたものである。
【課題を解決するための手段】
【０００４】  本考案は、カレンダーの留め金の中央下部に、めくり孔を開け、月末に、そのカレンダーを吊り手にくぐらせ、裏側にめくれるようにして目的達成した。
【考案の効果】
【０００５】  本考案は、上述のように、カレンダーの留め金の中央下部にめくり孔を開け、年初に、カレンダーの表紙を吊り手にくぐらせて裏側にめくり、１月末には、そのカレンダーも裏側にめくり、以下、月毎に順次めくるようにしたので、後日、必要に応じて過去のメモやカレンダの印刷物を見ることができる。また、めくり孔は破れないように、表紙を含めた全頁に、縁とりをしたので、めくる時に破れない。
また、年末に、裏側にめくった各月のカレンダーと表紙を表側に戻せば、年初と同じ、表紙付きカレンダーとなるので、嵩張らず、毎年のカレンダーを、年代順に長期保存することができる。
したがって、図５のように、日々の数字を左上に書き、メモ欄を増せば、役所・会社等は今以上の予定・計画を書け、家庭にあっては、予定・計画兼日記帳にすることができるので、将来にわたって重宝することができる。
【図面の簡単な説明】
【０００６】
【図１】本考案の月ぐりカレンダーの実施例を示す正面図
【図２】図１の部分裏面図
【図３】使用例を示す側面図
【図４】第１応用実施例の正面図
【図５】第２応用実施例の正面図
【考案を実施するための形態】
【０００７】  カレンダーの留め金の中央下部に、吊り手に通るめくり孔を開けることにより、月末に、その月のカレンダーを破らずに、裏側にめくることができる。
【実施例】
【０００８】  以下、添付図面について説明する。
図１から図３は、カレンダー１の留め金２の中央下部に、吊り手３を上方に延ばしたときに通るめくり孔４をカレンダー１の裏側まで貫通し、且めくり孔４の周りは、破れ難い紙、または、ビニール等を貼着して縁とり５し、また、留め金２の中央下部に凹み６をカレンダー１の裏側まで貫通し、年初に吊り手３を上方に延ばし、ひも７を通して柱等に吊り、月末に、その月のカレンダ１をひも７と吊り手３にくぐらせて、裏側にめくるようにしたものである。【０００９】  なお、吊り手３は、カレンダー１をめくるとき、曲り、金属疲労を起こして、折損するおそれがあるので、折損したときは、留め金２中央下部の凹み６にひも７を当てて吊れば、カレンダー１は左右に傾かず、正常に吊ることができる。
また、縁とり５は表紙を含めた全頁に実施するが、実施の一方法として、まず、所定の広さの縁とり５を貼り、留金で閉じてから、めくり孔４を開けてもよい。【００１０】  図４は、第１応用実施例で、厚紙で形成した留め板８の中央下部に、めくり孔４をカレンダー１の裏側まで貫通し、ひも７を孔９に通して吊り、月末に、その月のカレンダー１のめくり孔４をひも７にくぐらせて裏側にめくるようにしたものである。【００１１】  図５は、第２応用実施例で、日々の数字を左上に書いて、メモ欄を増したものである。
【符号の説明】
【００１２】１  カレンダー      ４  めくり孔      ７  ひも
２  留め金          ５  縁とり        ８  留め板
３  吊り手          ６  凹み          ９  孔
【図１】
0003190751.tif 000003
【図２】
0003190751.tif 000004
【図３】
0003190751.tif 000005
【図４】
0003190751.tif 000006
【図５】
0003190751.tif 000007
(57)【要約】      （修正有）【課題】従来と異なる構成により中華まんの外観を工夫し、購買意欲をそそる中華まんを提供する。【解決手段】皮で具を包んだ肉まんやあんまん等の中華まん１において、前記皮の表面に企業広告表示部２を設け、この企業広告表示部に焼印等の手段により企業広告を表示することによって、中華まんの販売価格を下げるように構成した。【選択図】図１
0003190758.tif 000002
【実用新案登録請求の範囲】
【請求項１】
皮で具を包んだ肉まんやあんまん等の中華まんにおいて、前記皮の表面に企業広告表示部を設け、この企業広告表示部に焼印等の手段により企業広告を表示することによって、販売価格を下げるように構成した、中華まん。
【考案の詳細な説明】
【技術分野】
【０００１】
本考案は、皮で具を包んだ中華まんに関する。
【背景技術】
【０００２】
この種の中華まんは、特許文献１等に開示されている。また、コンビニエンスストアでは、中華まんにキャラクターをデザインすることにより外観を工夫し、購買意欲をそそる中華まんを提供している。
【先行技術文献】
【特許文献】
【０００３】
【特許文献１】特開２００８−１６７７１３号公報
【考案の概要】
【考案が解決しようとする課題】
【０００４】
本考案は、従来と異なる構成により中華まんの外観を工夫し、購買意欲をそそる中華まんを提供することを課題とする。
【課題を解決するための手段】
【０００５】
この課題を解決するため、本考案では、皮で具を包んだ肉まんやあんまん等の中華まんにおいて、皮の表面に企業広告表示部を設け、この企業広告表示部に焼印等の手段により企業広告を表示することによって、中華まんの販売価格を下げるように構成する。企業広告表示部の数、配置、面積や企業広告の内容は問わない。
【考案の効果】
【０００６】
本考案によれば、従来と異なる構成により中華まんの外観を工夫し、購買意欲をそそる中華まんを提供することができる。
【図面の簡単な説明】
【０００７】
【図１】図１は、本考案の実施形態を示す外観構成図である。
【考案を実施するための形態】
【０００８】
以下、本考案の実施形態を説明する。図１に示すように、中華まん１の皮の表面に、企業広告表示部２を設ける。この企業広告表示部２に、焼印等の手段により企業広告を表示する。企業広告の内容は種々考えられ、例えば、中華まん１に合う飲料を紹介するもの、蒸かした中華まん１の暖かさと共に「アツアツの○○募集中」のように人材募集をするものや、選手団を応援するメッセージを表示するもの等が考えられる。また、メッセージと共に、企業ロゴ、連絡先電話番号やホームページのＵＲＬ等を表示してもよい。なお、図１では企業広告表示部２を二点鎖線の囲みで示したが、この囲みは企業広告表示部２の配置を表すものであり、中華まん１に枠線を表示することを意図してはいない。しかし、中華まん１に枠線を表示することを妨げるものではない。
【０００９】
本実施形態の中華まん１は、例えば、コンビニエンスストア等で蒸かした状態で販売される。中華まん１に企業広告を表示する（例えば、中華まんのメーカー及び販社以外の業者から広告料を取る）ことで、中華まん１を通常店頭販売価格よりも値引きをした価格で消費者に販売することが可能になる。具体例としては、品質が同じ中華まんで企業広告を表示していないものの通常店頭販売価格が１２０円である場合に、品質が同じ中華まんに企業広告を表示したものの店頭販売価格を３０円引きの９０円で販売すること等が可能になる。消費者は、好きな企業の広告や商品の値引きに購買意欲をそそられる。
【００１０】
他の実施形態として、中華まんの底面に企業広告表示部を配置することも考えられる。また、１つの中華まんに複数の企業広告表示部が配置されていてもよい。上記実施形態は例示であり、本考案が上記の実施形態に限られるものではない。また、中華まんの台紙に企業広告を表示することも考えられる。
【符号の説明】
【００１１】
１  中華まん
２  企業広告表示部
0003190758.tif 000003
【手続補正書】
【提出日】平成26年3月24日(2014.3.24)
【手続補正１】
【補正対象書類名】図面
【補正対象項目名】図１
【補正方法】変更
【補正の内容】
【図１】
0003190758.tif 000004
(57)【要約】      （修正有）【課題】ボトル内の飲料水を飲むのに適する吸い管を提供する。【解決手段】一部に伸縮できる蛇腹部２を有する細長い細管１に浮体（フロート）４を摺動自在に挿嵌し、細管１の両端部を丸めて突起部３を形成して成る。【選択図】図１
0003190756.tif 000002
【実用新案登録請求の範囲】
【請求項１】
ボトルの飲み口を通ることのできる外周の大きさで且つ飲料水に浮くことの出来る適宜形状で構成する浮体を、一部に伸縮できる蛇腹部を施す細長い管の外周に、外力を加えることにより移動可能に嵌合させるとともに前記細管の両端部には，該細管を外側に開いて丸みを形成する突起部を施して成る、特にはボトル内を飲料水を飲むのに適する吸い管。
【考案の詳細な説明】
【技術分野】
【０００１】  本考案は、吸い管特にボトル内の飲料水を飲むのに適する吸い管、通常称されるストロ−に関するものである。
【背景技術】
【０００２】  従来より知られている吸い管としてのストロ−は、近年はプラスチック製の単なる直線状の細長い管で、なかには屈曲を容易にする蛇腹部を有するものもある。この従来公知の吸い管はカップ内の飲料水を飲むのに使用されることが殆どである。又、本願と同様の一つの目的を達成しようとするものに、２本の細管を伸縮自在に嵌合させ、使用時に下側となる細管にフロ−トを固定してボトルのキャップを開いたときにストロ−の上端部がボトルの口の上に飛び出るように工夫したものが知られている。
【先行技術文献】
【特許文献】
【０００３】
【特許文献１】  特願２００７−３１５２３４
【考案の概要】
【考案が解決しようとする課題】
【０００４】  前記特許文献に示されているストロ−は、ストロ−をボトル内に収めたまま携帯出来、またボトルに直接口を着けずに特に女性がスマ−トにボトルの飲料水を飲むことが出来、更にキャップを開けた時にストロ−の吸い口がボトルの口上の飛び出し使用し易くなると言う目的を達成しているが、ストロ−を特別に作る必要がありコストも高く付くという問題がある。それ故に、コストの要らない既存のストロ−も利用できストロ−の吸い口の位置をも調節できる公知例と同様の目的を達成することを課題としている。
【課題を達成するための手段】
【０００５】  一部に設ける伸縮可能な蛇腹を伸ばした場合に、ボトルの底から飲み口までの長さより長くなる１本の細長い管の外周に沿って摺動可能に嵌合する浮体を外力により移動できるように設けるとともに前記細管の両端部を外側に広げて丸面を形成する突起部を有することを特徴とする吸い管として課題を解決している。
前記、浮体はボトルの飲み口を通る大きさであることが必須であり、吸い管全体の比重を飲料水の比重より小さく構成することも必須である。
【考案の効果】
【０００６】  ボトル内の飲料水とともにボトル内に収納して携帯を可能とし、ボトルのキャップを開いたときに吸い管言わばストロ−が吸い口の上に飛び出、特に女性がボトルに口を着けずにスマ−トに飲むことが出来るという前述の目的に沿う効果を有することは勿論であり、本考案に固有の、吸い管の飲み口の位置を浮体を移動させることで調節できる効果があり、口唇を傷つけないという効果を併せ持っている。更に、大事な効果として既存のストロ−を利用でき安い価額で提供出来るという効果もある。
【図面の簡単な説明】
【０００７】
【図１】  本考案のＩ実施例を示す部分断面図である。
【図２】  使用状態を示す概略図である。
【図３】  他の使用状態を示す概略図である。
【考案を実施するための最良の形態】
【０００７】  以下、図面に示す実施例に従って本考案の実施形態について説明する。
図１は、本考案の１実施例であるが、ボトルの底から飲み口までの長さよりも、中間に設ける伸縮可能な蛇腹部２を伸ばした場合の全長が長くなる細管１の外周に沿って摺動する浮体４を、手などによる外力で移動できるように嵌合させ、細管１の両端部を外側に開いて曲げ丸面を形成する突起部３を施して吸い管の全体を単純に構成している。突起部３を設けることによって浮体４が細管１から離脱することが無くなる。現在では、殆どのストロ−が比較的柔らかく軽いプラスチックでできており、これらの既存のストロ−を利用する場合には、細管１としてのストロ−に浮体４を挿嵌し、その後で細管１の両端部を熱を加えて加工し丸面の突起部３を形成する。吸い管全体の比重を、細管１とともに浮体４を例えばポリエチレン樹脂でつくることで１．０より小さくすることができる。
突起部３の加工を考慮すれば、細管１の材料はプラスチックが望ましいが、浮体４の材料としては木材なども形状を容易に選べることから望ましいが、それ以外にも、中に空気を封入する複合体で構成することも可能である。
また、浮体の形状の模様は、例えば果物の形など飲料水に合わせて、好きに選択すればよい。【０００８】  図２には、使用状態を示してあるが、ボトル５内に収容されている飲料水（飲料液）の液面Ｈ上に浮体４が浮いており、図２のＡより飲料水が少量になった場合には図２のＢのように浮体４の位置を下方にずらして細管１の上部吸い口に当たる突起部３の適当な位置を確保できるようになっている。図示はしないが、図２のＢより中味が少量になったときには浮体４を最下端まで下げても、蛇腹部２を伸ばして吸い口がボトル５の口より飛び出ているようにすることが出来る。【０００９】  図３は、本考案の吸い管をボトル内に収納させた時の状態を示したものである。ボトル５のキャップ６を開けるとボトル５内に収納されている吸い管がボトル５の飲み口から浮体４の働きで自動的に飛び出して、他にストロ−を携帯しなくても利用ができ便利なものとなる。
【符号の説明】
【００１０】１      細管
２      蛇腹部
３      突起部
４      浮体
５      ボトル
６      キャップ
【図１】
0003190756.tif 000003
【図２】
0003190756.tif 000004
【図３】
0003190756.tif 000005
(57)【要約】      （修正有）【課題】骨を抜く為に骨を挟み込む部分を多数確保できるとともに、除去した小骨が挟まれたまま、さらに次の操作が可能となる小骨抜き具を提供する。【解決手段】弾性を有する素材で略Ｖ字型に形成され、先端に半円形の骨挟みＥを備え、指先で挟み込むことにより対面した先端の半円形の骨挟みが、一方の端から他方の端にかけて、徐々に間隔を狭める構造を備えることを特徴とする。【選択図】図５
0003190716.tif 000002
【実用新案登録請求の範囲】
【請求項１】
弾性を有する素材で略Ｖ字型に形成され、先端に半円形の骨挟みを備えることを特徴とする小骨抜き具。
【請求項２】
指先で挟み込むことにより対面した先端の半円形の骨挟みが、一方の端から他方の端にかけて、徐々に間隔を狭める構造を備えることを特徴とする請求項１に記載の小骨抜き具。
【考案の詳細な説明】
【技術分野】
【０００１】
本考案は、小骨抜き具に関するものである。
【背景技術】
【０００２】
三枚におろした小魚に残された小骨を除去するために、毛抜きに似た形状の小骨抜き具が提案されている。（特許文献１、特許文献２、参照）
また、ペンチに似た形状のものも提案されている。（特許文献３、参照）
【０００３】
さらに、小骨を一本ずつ引き抜くのではなく、まとめて除去する舟型の小骨抜き具が提案されている。（特許文献４、参照）
【先行技術文献】
【特許文献】
【０００４】
【特許文献１】特開２０１１−１２０５０３号公報
【特許文献２】特開２０１０−８１９２７号公報
【特許文献３】特許第３７２５９７１号
【特許文献４】特開２００６−１１５８２２号公報
【考案の概要】
【考案が解決しようとする課題】
【０００５】
毛抜きに似た形状のものやペンチ型の形状のものは、小骨を一本ずつ確実に抜き取ることが出来るが、抜き取った小骨が付着して次の抜き取り操作の障害となるために、次の抜き取り操作に入る為には付着した小骨を除去する必要があり、作業効率が悪く生産性が上がらない。
【０００６】
また、まとめて小骨を除去するために提案されたものは、小骨と共に肉の一部を取り込む他、小骨の一部が残存してしまう場合がある。
【課題を解決するための手段】
【０００７】
本願考案の小骨抜き具は、弾性を有する素材で略Ｖ字型に形成され、先端に半円形の骨挟みを備える。その素材は例えばステンレスなどの金属や樹脂、木材、竹等であり、略Ｖ字型に形成され、略Ｖ字型の分岐元から先端にかけて対面する両腕の面の平行性が失われ、先端に半円形の骨挟みを備える。
【０００８】
本願考案の小骨抜き具は、指先で挟み込むことにより対面した先端の半円形の骨挟みが、一方の端から他方の端にかけて、徐々に間隔を狭める構造を備える。
【考案の効果】
【０００９】
小骨抜き具の先端が半円形で形成される為、骨を抜く為に骨を挟み込む部分を多数確保できるとともに、除去した小骨が挟まれたまま、さらに次の操作が可能となる。
【００１０】
また、確実に小骨のみを抜き取ることができ、不用意に小骨が残存することを防ぐことができる。
【図面の簡単な説明】
【００１１】
【図１】図１は、小骨抜き具の正面図である。（実施例１）
【図２】図２は、図１のａ−ｂの断面図である。（実施例１）
【図３】図３は、図１のｃ−ｄの断面図である。（実施例１）
【図４】図４は、図１のｅ−ｆの断面図である。（実施例１）
【図５】図５は、小骨抜き具の説明図である。（実施例２）
【図６】図６は、小骨抜き具の説明図である。（実施例３）
【図７】図７は、小骨抜き具の概念図である。（実施例４）
【考案を実施するための形態】
【実施例１】
【００１２】
図１は、本願考案の小骨抜き具Ａの正面図である。本願考案の小骨抜き具の材質は弾性を有する金属や樹脂、木材、竹等で略Ｖ字型に形成され、先端に半円形の骨挟みを備えている。
【００１３】
図２は、図１のａ−ｂの断面図である。左腕Ｃと右腕Ｄが略Ｖ字型で対面している。
【００１４】
図３は、図１のｃ−ｄの断面図である。前記左腕Ｃと前記右腕Ｄがほぼ平行に対面している。
【００１５】
図４は、図１のｅ−ｆの断面図である。前記左腕Ｃと前記右腕Ｄの間隔が一端が狭く多端が広く対面している。
【実施例２】
【００１６】
図５は、本願考案の小骨抜き具Ａで、一本目の小骨Ｂを抜く説明図である。半円形の骨挟みＥの一端で対象となる骨を挟んで抜き取ることを示している。
【実施例３】
【００１７】
図６は、本願考案の小骨抜き具Ａで、数本目の小骨Ｂを抜く説明図である。前記骨挟みＥで抜き終えた小骨を挟んだまま、次の小骨を抜く操作に入ることを示している。
【実施例４】
【００１８】
図７は、本願考案の小骨抜き具Ａで、数本の小骨を抜く概念図である。抜かれた小骨Ｂが前記左腕Ｃと前記右腕Ｄの前記骨挟みＥに挟まれたまま、次の操作に順次入っていく際の断面を示している。
【符号の説明】
【００１９】
Ａ  小骨抜き具
Ｂ  小骨
Ｃ  左腕
Ｄ  右腕
Ｅ  骨挟み
【図１】
0003190716.tif 000003
【図２】
0003190716.tif 000004
【図３】
0003190716.tif 000005
【図４】
0003190716.tif 000006
【図５】
0003190716.tif 000007
【図６】
0003190716.tif 000008
【図７】
0003190716.tif 000009
(57)【要約】      （修正有）【課題】海水水槽内において、生きた牡蠣稚貝集合体による文字及び絵を表示する装置を提供する。【解決手段】海水水槽１内のプレート３や水槽内壁に書きたい文字や絵の場所に、生きた牡蠣稚貝の付着しやすい布やナイロン及び石版・鉄板で書きたい文字や絵４を施し、文字や絵以外のところは牡蠣の付着を阻止するための船舶塗料で予め塗ると、生きた牡蠣稚貝は文字や絵の環境を好み付着し文字や絵を表示する形態の装置である。【選択図】図１
0003190765.tif 000002
【実用新案登録請求の範囲】
【請求項１】
海水水槽内で生きた牡蠣稚貝で文字や絵で看板や表札を造るために、海水水槽内のプレートや水槽内壁に書きたい文字や絵の場所に、生きた牡蠣稚貝の付着しやすい布やナイロン及び石版・鉄板を施し、文字や絵以外のところは牡蠣の付着を阻止するための船舶塗料で予め塗ると、生きた牡蠣稚貝は文字や絵の環境を好み付着し文字や絵を表示する形態を特徴とする、海水水槽内で生きた牡蠣稚貝集合体による文字及び絵を表示する装置。
【考案の詳細な説明】
【技術分野】
【０００１】  海水水槽内において表示する文字や絵に関する物である。
【背景技術】
【０００２】  海水水槽内において、生きた牡蠣稚貝集合体による文字及び絵をプレートに表示するものが特許文献及び参考資料に無かった。
【特許文献１】特開平６−２１７６５７
【考案の開示】
【考案が解決しようとする課題】
【０００３】  従来の海水水槽内に表示する文字や絵をプレートや水槽内壁にペイントなどで表示してあり、生きた牡蠣稚貝集合体よる文字や絵を海水水槽内水中のプレート及び水槽内壁に表示する課題を解決する物である。
【課題を解決するための手段】
【０００４】  本考案は、海水水槽内の水中にプレートや水槽内壁に牡蠣稚貝が付着しやすい環境を予め施して書きたい文字や絵のところに、生きた牡蠣稚貝が付着する形態である。
【考案の効果】
【０００５】  効果については、海水水槽内プレートや水槽内壁に文字や絵を、生きた牡蠣稚貝で表示することで看板や表札を造る事ができる。
【考案を実施するための最良の形態】
【０００６】  本考案は、海水水槽内で生きた牡蠣稚貝で文字や絵で看板や表札を造るために、海水水槽内のプレートや水槽内壁に書きたい文字や絵の場所に、生きた牡蠣稚貝の付着しやすい布やナイロン及び石版・鉄板で書きたい文字や絵を施し、文字や絵以外のところは牡蠣の付着を阻止するための船舶塗料で予め塗ると、生きた牡蠣稚貝は文字や絵の環境を好み付着し文字や絵を表示する形態の装置である。
【図面の簡単な説明】
【０００７】
【図１】海水水槽内壁やプレートに文字や絵を表示した全体図。
【符号の説明】
【０００８】１  海水水槽。
２  海水水槽内の水位。
３  海水水槽内に入れたプレート。
４  海水水槽内壁やプレートに生きた牡蠣稚貝が付着した文字や絵。
５  海水水槽内壁やプレートに生きた牡蠣稚貝が付着しない船舶塗料を塗った箇所。
６  海水水槽内に入れたプレートを吊るす紐。
【図１】
0003190765.tif 000003